(57)【要約】  本発明は，ハウジングの小形化を図ることが可能な端子台を提供することを目的とする。オスコネクタ（１０）は，オス端子（２０）の環状部（２２）が露出するように複数のオス端子（２０）を保持するオス側インナハウジング（３０）と，複数のオス端子（２０）の環状部（２２）の間を仕切るリブ（４１）を有する仕切部材（４０）とを備えている。そして，オス側インナハウジング（３０）と仕切部材（４０）とが別体で構成されている。
2012105655.tif 000002
【特許請求の範囲】
【請求項１】
端子の少なくとも一方の端部が露出するように複数の前記端子を保持するハウジングと、
複数の前記端子の露出した端部の間を仕切る隔壁を有する仕切部材と、を備えており、
前記ハウジングと前記仕切部材とが別体で構成されていることを特徴とする端子台。
【請求項２】
請求項１に記載の端子台であって、
ナット又はボルトをさらに備え、
前記仕切部材は、前記ナット又は前記ボルトを保持する保持部を有し、
前記ハウジングは、前記保持部と前記ナット又は前記ボルトの一部とが前記端子の延在方向に沿って挿入される挿入部を有しており、
前記保持部は、前記ナット又は前記ボルトを前記延在方向に沿って挟み込む凹部を有し、
前記挿入部は、前記延在方向に対して実質的に直交する方向において、前記ナット又は前記ボルトの一部と係合する係合部を有することを特徴とする端子台。
【請求項３】
請求項１又は２に記載の端子台であって、
前記仕切部材は、複数の前記隔壁を連結する連結部をさらに有することを特徴とする端子台。
【発明の詳細な説明】
【技術分野】
【０００１】
本発明は、複数の端子を保持する端子台に関するものである。
文献の参照による組み込みが認められる指定国については、２０１１年２月４日に日本国に出願された特願２０１１−２２９５６号に記載された内容を参照により本明細書に組み込み、本明細書の記載の一部とする。
【背景技術】
【０００２】
第１端子金具３０の後端部３０Ｒが端子保持部２５から後方へ突出して第１ハウジング２０の外部に露出していると共に、後方に片持ち状に突出した仕切壁２６を第１ハウジング２０に形成したコネクタＣａが知られている（例えば特許文献１参照）。【０００３】
このコネクタＣａでは、端子保持部２５の内部において第１端子金具３０間が壁で隔離されている。また、第１端子金具３０間の沿面距離を確保するために、第１端子金具３０の後端部３０Ｒの間に仕切壁２６が介在している。
【先行技術文献】
【特許文献】
【０００４】
【特許文献１】特開２００６−３１９６２号公報
【発明の概要】
【発明が解決しようとする課題】
【０００５】
端子間の沿面距離を確保するためには、仕切壁の厚さを所定厚以上とする必要がある。このため、上記のコネクタを小型化すると、外部の仕切壁が端子保持部内の壁よりも厚くなり、端子保持部の端子挿入孔に仕切壁が乗り上げてしまう場合がある。【０００６】
一方、コネクタに防水性や防油性を付与するために、端子シールを端子に取り付けて、端子と共に当該端子シールを端子保持部に圧入することが行われている。このような場合に、端子保持部の挿入孔が仕切壁によって部分的に塞がれていると、端子とシール部材を端子保持部に圧入し難くなる。そのため、ハウジングの小型化を十分に図ることができないという問題があった。
【課題を解決するための手段】
【０００７】
本発明が解決しようとする課題は、ハウジングの小型化を図ることが可能な端子台を提供することである。【０００８】
［１］本発明に係る端子台は、端子の少なくとも一方の端部が露出するように複数の前記端子を保持するハウジングと、複数の前記端子の露出した端部の間を仕切る隔壁を有する仕切部材と、を備えており、前記ハウジングと前記仕切部材とが別体で構成されていることを特徴とする。【０００９】
［２］上記発明において、ナット又はボルトをさらに備え、前記仕切部材は、前記ナット又は前記ボルトを保持する保持部を有し、前記ハウジングは、前記保持部と前記ナット又は前記ボルトの一部とが前記端子の延在方向に沿って挿入される挿入部を有しており、前記保持部は、前記ナット又は前記ボルトを前記延在方向に沿って挟み込む凹部を有し、前記挿入部は、前記延在方向に対して実質的に直交する方向において、前記ナット又は前記ボルトの一部と係合する係合部を有してもよい。【００１０】
［３］上記発明において、前記仕切部材は、複数の前記隔壁を連結する連結部をさらに有してもよい。
【発明の効果】
【００１１】
本発明によれば、ハウジングと仕切部材とを別体で構成したので、ハウジングの小型化を図ることができる。
【図面の簡単な説明】
【００１２】
【図１】図１は、本発明の実施形態におけるコネクタ組立体を示す斜視図であり、嵌合状態のコネクタ組立体を示す図である。
【図２】図２は、本発明の実施形態におけるコネクタ組立体を示す分解斜視図である。
【図３】図３（ａ）は、本発明の実施形態におけるオスコネクタを示す正面図であり、図３（ｂ）は、本発明の実施形態におけるオスコネクタを示す平面図であり、図３（ｃ）は、本実施形態におけるオスコネクタの側面図であり、図３（ｄ）は、本実施形態におけるオスコネクタを示す背面図である。
【図４】図４は、本発明の実施形態におけるオスコネクタを示す分解斜視図である。
【図５】図５は、本発明の実施形態における仕切部材を示す斜視図である。
【図６】図６は、本発明の実施形態において仕切部材を取り付ける前のオス側インナハウジングを示す斜視図である。
【図７】図７は、本発明の実施形態において仕切部材を取り付けた後のオス側インナハウジングを示す斜視図である。
【図８】図８（ａ）〜図８（ｅ）は、本発明の実施形態におけるオスコネクタの組立手順を示す図である。
【図９】図９（ａ）は、本発明の実施形態におけるメスコネクタを示す正面図であり、図９（ｂ）は、本発明の実施形態におけるメスコネクタを示す平面図であり、図９（ｃ）は、本発明の実施形態におけるメスコネクタを示す側面図である。
【図１０】図１０は、本発明の実施形態におけるメスコネクタを示す分解斜視図である。
【図１１】図１１（ａ）及び図１１（ｂ）は、図９（ｃ）のXI部の拡大断面図であり、図１１（ａ）はオス端子をメス端子に嵌合する前の状態を示し、図１１（ｂ）はオス端子とメス端子とが嵌合した状態を示す。
【図１２】図１２（ａ）〜図１２（ｇ）は、本発明の実施形態におけるメスコネクタの組立手順を示す図である。
【図１３】図１３（ａ）は、本発明の第２実施形態におけるオス端子と仕切部材を示す平面図であり、図１３（ｂ）は、図１３（ａ）のXIIIB-XIIIB線に沿った断面図である。
【発明を実施するための形態】
【００１３】
以下、本発明の実施形態を図面に基づいて説明する。
【００１４】
図１及び図２は本実施形態におけるコネクタ組立体を示す図であり、図１は嵌合している状態のコネクタ組立体を示し、図２は嵌合前のコネクタ組立体を示す。
【００１５】
本実施形態におけるコネクタ組立体１は、図１及び図２に示すように、相互に嵌合可能なオスコネクタ１０とメスコネクタ６０から構成されている。このコネクタ組立体１は、例えば、電動モータを走行駆動源とする電気自動車において、電動モータとインバータの間やインバータとバッテリの間で大容量の電力を伝達する電力ケーブルのコネクタとして用いられる。
【００１６】
本実施形態では、オスコネクタ１０は、例えば、電動モータの筐体１００に取り付けられている。一方、メスコネクタ６０は、例えば、インバータに電気的に接続された交流用電力ケーブル９０の端部に取り付けられている。
【００１７】
因みに、本実施形態における交流用の電力ケーブル９０は、三相交流電力（Ｕ，Ｖ，Ｗ相）用の３本の電線９１と、当該３本の電線９１を囲繞する編組線９３と、から構成されている。
【００１８】
このコネクタ組立体１では、メスコネクタ６０に設けられたボルト８６を、オスコネクタ１０の雌ネジ部５３１にねじ込む（螺合させる）ことで、オスコネクタ１０とメスコネクタ６０とが嵌合し、電力ケーブル９０を介してインバータと電動モータとが電気的に接続される。
【００１９】
なお、本実施形態におけるコネクタ組立体１を、例えば、電動モータに電気的に接続された電力ケーブルを、インバータに電気的に接続するために用いてもよいし、インバータとバッテリ間を電気的に接続するために用いてもよい。また、上述の電気自動車には、内燃機関と電動モータの双方を走行駆動源とするハイブリッド電気自動車も含む。
【００２０】
以下において、オスコネクタ１０とメスコネクタ６０とが嵌合する方向を「嵌合方向」と称し、オスコネクタ１０とメスコネクタ６０とを取り外す方向（すなわち嵌合方向とは反対側の方向）を「解除方向」と称する。
【００２１】
先ず、図３〜図７を参照しながら、オスコネクタ１０の構成について詳細に説明する。
【００２２】
図３（ａ）〜図３（ｄ）は本実施形態におけるオスコネクタを示す図、図４は本実施形態におけるオスコネクタを示す分解斜視図、図５は本実施形態における仕切部材を示す斜視図、図６は本実施形態において仕切部材を取り付ける前のオス側インナハウジングを示す斜視図、図７は本実施形態において仕切部材を取り付けた後のオス側インナハウジングを示す斜視図である。
【００２３】
本実施形態におけるオスコネクタ１０は、図３（ａ）〜図３（ｄ）及び図４に示すように、３つのオス端子２０と、オス側インナハウジング３０と、仕切部材４０と、オス側アウタハウジング５０と、から構成されている。
【００２４】
オス端子２０は、例えば銅又は銅合金から構成されており、図４に示すように、その先端に平板状のタブ２１を有すると共に、その後端に内孔２２１を持つ環状部２２（いわゆるＬＡ端子）と、を有している。このオス端子２０のタブ２１がメス端子７０の受容部７１（図１１（ａ）参照）に挿入されることで、オス端子２０とメス端子７０とが嵌合する。
【００２５】
一方、図３（ｂ）及び図３（ｄ）に示すように、オス端子２０の環状部２２の下方には、仕切部材４０によってナット４６が保持されている。例えば、内孔２２１に挿入されたボルト（不図示）がこのナット４６に螺合することで、電動モータに電気的に接続されたバスバ（不図示）がオス端子２０と締結されて、当該バスバとオス端子２０とが電気的に接続される。
【００２６】
また、図４に示すように、このオス端子２０の中間部分には、２組の突起２３が形成されている。この突起２３の間に端子シール２４が位置するように、オス端子２０が環状の端子シール２４に挿入されており（図８（ａ）参照）、この突起２３によって端子シール２４が保持されている。この端子シール２４は、例えばフッ素ゴムから構成されている。
【００２７】
オス側インナハウジング３０は、図３（ａ）〜図３（ｄ）及び図４に示すように、端子保持部３１と、インナフランジ３２と、オス側インナ筒部３３と、を有している。このオス側インナハウジング３０は、例えば樹脂材料等の電気絶縁性を有する材料から構成されており、端子保持部３１、インナフランジ３２、及びオス側インナ筒部３３が一体的に形成されている。
【００２８】
端子保持部３１には、オス端子２０をそれぞれ保持する３つの端子保持孔３１１が実質的に平行に形成されている。それぞれの端子保持孔３１１は端子保持部３１を貫通しており、解除方向側の開口を介して、オス端子２０が端子保持孔３１１内にタブ２１側から挿入されている。また、この端子保持孔３１１には、オス端子２０と共に端子シール２４が圧入されており、この端子シール２４がオス端子２０とオス側インナハウジング３０との間をシールしている。
【００２９】
端子保持孔３１１に挿入されたオス端子２０のタブ２１は、端子保持孔３１１の嵌合方向側の開口から突出しており、オス側インナ筒部３３の内孔３３１内に位置している。
【００３０】
一方、オス端子２０の環状部２２も、端子保持孔３１１の解除方向側の開口から突出しているが、端子保持部３１の下部が、当該環状部２２の下方まで延在して延在部３１３を構成している。
【００３１】
この延在部３１３には、仕切部材４０の第１の支持アーム４２が挿入される挿入溝３１４や、第２の支持アーム４３及びナット４６が挿入される切欠き３１５が形成されている。なお、この延在部３１３の構成については、後に仕切部材４０の構成と共に詳述する。
【００３２】
インナフランジ３２は、端子保持部３１から径方向に拡がっており、このインナフランジ３２の解除方向側の主面には、端子保持部３１を囲むように、環状溝３２１（図８（ｂ）参照）が形成されている。この環状溝３２１には、例えばフッ素ゴム等から構成されるハウジングシール３２２が挿入されている。
【００３３】
オス側インナ筒部３３は、インナフランジ３２から嵌合方向に向かって突出している。このオス側インナ筒部３３は、内孔３３１を有する偏平の略円筒体であり、内孔３３１には、端子保持部３１から突出するオス端子２０のタブ２１が位置している。
【００３４】
仕切部材４０は、図５に示すように、２枚のリブ４１と、２本の第１の支持アーム４２と、３本の第２の支持アーム４３と、第１の連結桟４４と、第２の連結桟４５と、を有している。この仕切部材４０は、例えば樹脂材料等の電気絶縁性を有する材料から構成されており、リブ４１、第１の支持アーム４２、第２の支持アーム４３、第１の連結桟４４、及び第２の連結桟４５が一体的に形成されている。
【００３５】
２枚のリブ４１は、第１の支持アーム４２によってそれぞれ支持されている。それぞれの第１の支持アーム４２には、その長手方向に沿って係合溝４２１が形成されている。
【００３６】
また、２本の第１の支持アーム４２は、解除方向側の端部で第１の連結桟４４によって連結されていると共に、嵌合方向側の端部で第２の連結桟４５で連結されている。
【００３７】
第１の連結桟４４からは、嵌合方向に向かって３本の第２の支持アーム４３が突出している。この３本の第２の支持アーム４３は、オス側インナハウジング３０に保持された３本のオス端子２０の環状部２２に対応するように配置されている。
【００３８】
また、それぞれの第２の支持アーム４３には、ナット４６を保持する凹部４３１がそれぞれ形成されている。この凹部４３１は、嵌合方向側に位置する第１の面４３１ａと、解除方向側に位置する第２の面４３１ｂと、で規定されている。
【００３９】
ナット４６は、六角形の外形を有する本体部４６１と、略矩形の外形を有する台座部４６２と、を有している。台座部４６２が第１の面４３１ａと第２の面４３１ｂとの間に挟み込まれることで、ナット４６が第２の支持アーム４３の凹部４３１に嵌め込まれている。
【００４０】
一方、オス側インナハウジング３０の延在部３１３の挿入溝３１４は、図６に示すように、第１の支持アーム４２が挿入される第１のアーム挿入部３１４ａと、支持アーム挿入部３１４ａの上方に迫り出している第１の突出部３１４ｂと、を有している。
【００４１】
また、延在部３１４の切欠き３１５は、第２の支持アーム４３が挿入される第２のアーム挿入部３１５ａと、ナット４６の台座部４６２が挿入される台座挿入部３１５ｂと、台座挿入部３１５ｂの上方に迫り出している第２の突出部３１５ｃと、を有している。
【００４２】
この仕切部材４０の第１の支持アーム４２が、延在部３１３の挿入溝３１４に挿入されていると共に、当該仕切部材４０の第２の支持アーム４３及びナット４６が、延在部３１３の切欠き３１５に挿入されている。
【００４３】
この際、延在部３１３の挿入溝３１４に第１の支持アーム４２が挿入されると、当該挿入溝３１４の突起部３１４ｃが第１の支持アーム４２の係合溝４２１に入り込み、上下方向（嵌合方向に対して実質的に直交する方向）において挿入溝３１４の突出部３１４ｃと第１の支持アーム４２とが係合している。
【００４４】
また、延在部３１３の切欠き３１５に第２の支持アーム４３が挿入されると、当該切欠き３１５の突出部３１５ｂがナット４６の台座部４６２の上に迫り出しており、上下方向において切欠き３１５の突出部３１５ｂと台座４６２とが係合している。
【００４５】
以上の係合によって延在部３１３からの仕切部材４０の上方への抜け止めが図られている。
【００４６】
このように仕切部材４０がオス側インナハウジング３０に挿入されると、図７に示すように、オス端子２０においてオス側インナハウジング３０から露出しており、環状部２２を含む後端部分の間に、リブ４１が隔壁としてそれぞれ介在するので、オス端子２０間の沿面距離が確保される。
【００４７】
また、仕切部材４０がオス側インナハウジング３０に挿入されると、オス端子２０の環状部２２の下方にナット４６が位置して、当該環状部２２の内孔２２１とナット４６のネジ孔４６３とが同軸上に配置されることとなる。この状態で、オス端子２０の環状部２２とバスバが、ボルト及びナット４６によって締結されると、ナット４６を含めた仕切部材４０全体が、オス端子２０及びボルトを介してオス側インナハウジング３０に固定される。これにより、延在部３１３からの仕切部材４０の嵌合方向への抜け止めが図られる。
【００４８】
オス側アウタハウジング５０は、図３（ａ）〜図３（ｄ）及び図４に示すように、オス側アウタ筒部５１と、アウタフランジ５２と、オス側凸部５３と、を有している。このオス側アウタハウジング５０は、例えば、アルミ等の導電性を有する材料から構成されており、オス側アウタ筒部５１、アウタフランジ５２、及びオス側凸部５３が一体的に形成されている。
【００４９】
オス側アウタ筒部５１は、内孔５１１を有する偏平の略円筒体であり、この内孔５１１にはオス側インナ筒部３３が挿入されている。また、このオス側アウタ筒部５１の長軸方向の両端には、嵌合方向に沿ったガイドリブ５１２，５１３が形成されている。オスコネクタ１０とメスコネクタ６０との嵌合時に、このガイドリブ５１２，５１３が、メスコネクタ６０のガイド溝８２２，８２３（図９（ａ）参照）に案内されることで、メスコネクタ６０がオスコネクタ１０に対して正確に位置決めされる。
【００５０】
アウタフランジ５２は、オス側アウタ筒部５１の解除方向側の端部に設けられている。図４に示すように、このアウタフランジ５２には、オス側インナハウジング３０のインナフランジ３２に対応した凹部５２１が形成されており、この凹部５２１にインナフランジ３２が嵌め込まれている。このアウタフランジ５２は、オスコネクタ１０を電動モータの筐体１００にボルト締結等される。
【００５１】
オス側凸部５３は、オス側アウタ筒部５１から径方向に突出している。このオス側凸部５３の略中央には、図３（ａ）及び図３（ｄ）に示すように、メスコネクタ６０のボルト８６と螺合可能な雌ネジ部５３１が設けられている。
【００５２】
以下に、図８（ａ）〜図８（ｅ）を参照しながら、オスコネクタ６０の組立手順について説明する。図８（ａ）〜図８（ｅ）は本実施形態におけるオスコネクタの組立手順を示す図である。
【００５３】
先ず、図８（ａ）に示すように、オス端子２０を端子シール２４に挿入して、端子シール２４を突起２３間に位置させる。次いで、図８（ｂ）に示すように、オス端子２０をオス側インナハウジング３０の端子保持孔３１１に挿入する。
【００５４】
一方で、図８（ｃ）に示すように、仕切部材４０の第２の支持アーム４３の凹部４３１にナット４６をそれぞれ嵌め込む。
【００５５】
次いで、図８（ｄ）に示すように、仕切部材４０の第１の支持アーム５２をオス側インナハウジング３０の挿入溝３１４に挿入すると共に、仕切部材４０の第２の支持アーム４３及びナット４６をオス側インナハウジング３０の切欠き３１５に挿入することで、仕切部材４０をオス側インナハウジング３０に組み付ける。また、オスハウジング２０の環状溝３４にハウジングシール３６を嵌め込む。
【００５６】
次いで、図８（ｅ）に示すように、オス側インナ筒部３３をオス側アウタ筒部４２に挿入すると共に、インナフランジ３２をアウタフランジ５２の凹部５２１に嵌め込んで、オス側インナハウジング３０をオス側アウタハウジング５０に組み付けることで、オスコネクタ１０が完成する。
【００５７】
次に、図９〜図１１を参照しながら、メスコネクタ６０の構成について詳細に説明する。
【００５８】
図９（ａ）〜図９（ｃ）は本実施形態におけるメスコネクタを示す図、図１０は本実施形態におけるメスコネクタの分解斜視図、図１１（ａ）及び図１１（ｂ）は図９（ｃ）のXI部の拡大断面図である。
【００５９】
本実施形態におけるメスコネクタ６０は、図９（ａ）〜図９（ｃ）及び図１０に示すように、３つのメス端子７０と、メス側ハウジング８０と、を有している。
【００６０】
メス端子７０は、例えば銅又は銅合金から構成されており、図１０に示すように、その先端側に略箱形状の受容部７１を有すると共に、その後端にバレル部７２を有している。
【００６１】
図１１（ａ）に示すように、メス端子７０の受容部７１内には、弓状に屈曲した板バネ部材７１１が設けられている。この受容部７１には、オス端子２０のタブ２１が挿入可能となっており、受容部７１内に挿入されたタブ２１は、板バネ部材７１１によって箱状の受容部７１の内壁面に押し付けられる。このため、タブ２１は、板バネ部材７１１によって押し付けられながら受容部７１内に挿入される。この押付によってタブ２１と受容部７１とが相互にワイピングされて、当該タブ２１及び受容部７１の表面に形成された酸化被膜が除去される。そして、図１１（ｂ）に示すように、受容部７１に挿入されたタブ２１が正規の位置に到達すると、オス端子２０とメス端子７０とが完全に嵌合する。
【００６２】
図１０に示すように、メス端子７０のバレル部７２には、電力ケーブル９０の電線９１の中心導体が圧着されている。なお、この電線９１は、中心導体の外周を被覆する絶縁層９２を有しているが、バレル部７２と圧着される端部では、被覆層９２が剥がされて中心導体が露出している。
【００６３】
この電線９１には、環状のワイヤシール７３にそれぞれ挿入されている。また、電線９１においてワイヤシール７３の近傍にはストレインリリーフ７４が取り付けられており、ワイヤシール７４の抜け止めが図られている。なお、ワイヤシール７３は、例えばシリコーンゴムから構成されており、ストレインリリーフ７４は、例えば、ポリブチレンテレフタレート（ＰＢＴ）から構成されている。
【００６４】
メス側ハウジング８０は、図９（ａ）〜図９（ｃ）及び図１０に示すように、端子収容部８１と、メス側筒部８２と、外壁部８３と、メス側凸部８４と、を有している。このメス側インナハウジング８０は、例えば樹脂材料等の電気絶縁性を有する材料から構成されている。
【００６５】
端子収容部８１には、メス端子７０をそれぞれ収容（保持）する３つの端子収容穴８１１が実質的に平行に形成されている。それぞれの端子収容穴８１１は、解除方向側で開口しており、当該開口を介して、メス端子７０が端子収容穴８１１内に受容部７１側から挿入されている。この端子収容穴８１１には、メス端子７０と共にワイヤシール７３が圧入されており、このワイヤシール７３がメス端子７０とメス側ハウジング８０との間をシールしている。
【００６６】
図９（ａ）に示すように、端子収容穴８１１の底部には、端子露出孔８１２が形成されており、端子収容穴８１１内に収容されているメス端子７０に対して、この端子露出孔８１２を介してオス端子２０のタブ２１が接近可能となっている。
【００６７】
この端子収容部８１は、メス側筒部８２内に突出しており、端子収容部８１とメス側筒部８２との間に嵌合溝８２１が形成されている。この嵌合溝８２１にオスコネクタ１０のオス側インナ筒部３３及びオス側アウタ筒部５１が入り込むと共に、端子収容部８１がオス側インナ筒部３３及びオス側アウタ筒部５１内に入り込むことで、オスコネクタ１０とメスコネクタ６０とが嵌合する。
【００６８】
また、その嵌合溝８２１内において、端子収容部８１の外周に環状のハウジングシール８１３が装着されている。このハウジングシール８１３は、例えばシリコーンゴムから構成されており、嵌合時にオス側インナ筒部３３と端子収容部８１との間をシールする。
【００６９】
メス側筒部８２は、図９（ａ）に示すように、偏平な略円筒体であり、このメス側筒部８２の長軸方向の両端には、嵌合方向に沿ったガイド溝８２２，８２３が形成されている。オスコネクタ１０のガイドリブ５１２，５１３がこのガイド溝８２２，８２３に挿入されることで、メスコネクタ６０がオスコネクタ１０に対して正確に位置決めされる。
【００７０】
外壁部８３は、図１０に示すように、解除方向側で端子収容部８１の周囲を取り囲んでいる。この外壁部８３と端子収容部８１との間に形成された挿入空間８３１には、偏平の略円筒状のシールドプレート８３２が挿入されている。このシールドプレート８３２は、例えば、銅又は銅合金から構成されており、メス側ハウジング８０内でメス端子７０を電磁的にシールドする。
【００７１】
さらに、この挿入空間８３１には、電力ケーブル９０の編組線９３と、編組線９３の端部を挟み込んで圧着された２つのフェルール７５，７６と、が挿入されている。従って、シールドプレート８３２と編組線９３とは、アウタフェルール７５を介して電気的に接続されている。そして、挿入空間８３１に編組線９３、フェルール７５，７６、及びシールドプレート８３２を挿入した状態で、外壁部８３には、上カバー８８１と下カバー８８２から構成されるリアカバー８８が被せられている。
【００７２】
メス側凸部８４は、オス側凸部５３に対応する位置で、メス側筒部８２から径方向に突出している。このメス側凸部８４には、当該メス側凸部８４を嵌合方向に貫通する貫通孔８４１が形成されている。この貫通孔８４１には、例えば鋼製のカラー８５が挿入されており、さらにこのカラー８５にはボルト８６が挿入されている。当該ボルト８６は、メス側凸部８４の嵌合方向側の面で、Ｅリング８７によって抜け止めされて、メス側ハウジング８０に回転可能に保持されている。
【００７３】
以下に、図１２（ａ）〜図１２（ｇ）を参照しながら、メスコネクタ６０の組立手順について説明する。図１２（ａ）〜図１２（ｇ）は本実施形態におけるメスコネクタの組立手順を示す図である。
【００７４】
先ず、図１２（ａ）に示すように、電線９１をワイヤシール７３に挿入すると共に当該電線９１にストレインリーフ７４を装着する。次いで、電線９１の端部において絶縁層９２から露出した中心導体と、メス端子７０のバレル部７２とを加締める（圧着する）。
【００７５】
一方、図１２（ｂ）に示すように、アウタフェルール７５内に編組線９３の端部を挿入すると共に、その編組線９３の端部の内側にインナフェルール７６を挿入して、編組線９３の端部をアウタフェルール７５とインナフェルール７６との間に挟み込み、アウタフェ―ルール７５、編組線９３、及びインナフェ―ルール７６を加締める（圧着する）。
【００７６】
次いで、図１２（ｃ）に示すように、編組線９３内に、メス端子７０が取り付けられた電線９１を挿入する。
【００７７】
一方、図１２（ｄ）に示すように、メス側ハウジング８０の嵌合溝８２１にハウジングシール８１３を挿入して、端子収容部８１の周りのハウジングシール８１３を装着する。次いで、図１２（ｅ）に示すように、メス側ハウジング８０の挿入空間８３１内にシールドプレート８３２を挿入する。次いで、図１２（ｆ）に示すように、メス側ハウジング８０のメス側凸部８４の貫通孔８４１にカラー８５及びボルト８６を挿入し、さらにＥリング８７によってボルト８６を固定する。
【００７８】
次いで、図１２（ｇ）に示すように、メス側ハウジング８０の端子収容穴８１１内にメス端子７０を挿入すると共に、メス側ハウジング８０の収容空間８３１内にアウタフェ―ルール７５、編組線９３、及びインナフェルール７６を挿入する。
【００７９】
次いで、特に図示しないが、メス側ハウジング８０の外壁部８３と編組線９３を覆うように、メス側ハウジング８０にリアカバー８８を装着することで、メスコネクタ６０が完成する。
【００８０】
以上に説明したオスコネクタ１０とメスコネクタ６０とは、以下のように嵌合する。
【００８１】
先ず、オスコネクタ１０とメスコネクタ６０とを仮嵌合させる。これにより、オスコネクタ１０のオス側インナ筒部３３及びオス側アウタ筒部５１が、メスコネクタ６０の嵌合溝８２１内に入り込むと共に、メスコネクタ６０の端子収容部８１が、オスコネクタ１０のオス側インナ筒部３３及びオス側アウタ筒部５１内に入り込む。
【００８２】
この際、オスコネクタ１０のガイドリブ５１２，５１３が、メスコネクタ６０の凹部８２２，８２３に挿入される。また、メスコネクタ６０のボルト８６の雄ネジ部の先端が、オスコネクタ１０の雌ネジ部５３１に係合し、ボルト８６を雌ネジ部５３１にねじ込み可能となる。
【００８３】
その状態から、ボルト８６を回転させて雌ネジ部５３１にねじ込んでいくと、メスコネクタ６０が、ガイドリブ５１２，５１３及び凹部８２２，８２３によって案内されながら、オスコネクタ１０に接近し、最終的にオスコネクタ１０とメスコネクタ６０とが嵌合する。
【００８４】
以上のように、本実施形態では、オス側インナハウジング３０と仕切部材４０とが別体で構成されている。このため、端子保持部３１の端子保持孔３１１の間にリブを立設し得ないほどまでオス側インナハウジング３０を小型することができる。特に、本実施形態では、オス端子２０において露出した後端部分の間を仕切るリブ４１に十分な厚みを持たせつつ、オス側インナハウジング３０内では端子保持孔３１１間の壁を薄くすることができる。
【００８５】
また、本実施形態では、仕切部材４０の第２の支持アーム４３の凹部４３１でナット４６を挟み込むと共に、オス側インナハウジング３０の切欠き３１５の突出部３１５ｃがナット４６の台座部４６２と係合する。
【００８６】
このため、オス端子２０の環状部２２の内孔２２１を介してボルトをナット４６に螺合させると、仕切部材４０がオス側インナハウジング３０に固定される。
【００８７】
また、本実施形態では、仕切部材４０のリブ４１同士が第１及び第２の連結桟４４，４５によって連結されている。このため、仕切部材４０をオス側インナハウジング３０に挿入し易くなっていると共に、リブ４１の剛性の向上が図られている。
【００８８】
<<第２実施形態>>
図１３（ａ）及び図１３（ｂ）は本発明の第２実施形態を示す図である。
【００８９】
本実施形態では、ナット４６に代えてボルト４７を用いた点と、オス端子の解除方向側の端部の構造と、が第１実施形態と相違するが、それ以外の構成は第１実施形態と同様である。以下に、本実施形態における第１実施形態との相違点についてのみ説明し、第１実施形態と同様の構成である部分については同一符号を付して説明を省略する。
【００９０】
図１３（ａ）及び図１３（ｂ）に示すように、仕切部材４０の第２の支持アーム４３はボルト４７は支持しており、ボルト４７の頭部４７１が第２の支持アーム４３の凹部４３１に嵌め込まれている。
【００９１】
また、本実施形態では、オス端子２０Ｂが、その後端に、環状部２２に代えてＵ状部２２Ｂ（いわゆる鍬型端子）を有している。このＵ状部２２Ｂには、ボルト４７のネジ部４７２が挿入可能となっている。
【００９２】
本実施形態では、仕切部材４０がオス側インナハウジング３０に取り付けられると、第２の支持アーム４３と共にボルト４７の頭部４７１が、延在部３１３の切欠き３１５に挿入される。この際、当該切欠き部３１５の突出部３１５ｃがボルト４７の頭部４７１の上に迫り出している。このため、延在部３１３からの仕切部材４０の上方への抜け止めが図られている。
【００９３】
また、仕切部材４０Ｂがオス側インナハウジング３０に取り付けられると、ボルト４７のネジ部４７２が、オス端子２０Ｂのスリット２２２内に位置する。この状態で、オス端子２０のＵ状部２２Ｂとバスバが、ボルト４７及びナット（不図示）によって締結されると、ボルト４７を含めた仕切部材４０Ｂ全体が、オス端子２０Ｂ及びナットを介してオス側インナハウジング３０に固定される。これにより、延在部３１３からの仕切部材４０Ｂの嵌合方向への抜け止めが図られる。
【００９４】
以上のように、本実施形態では、第１実施形態と同様に、オス側インナハウジング３０と仕切部材４０Ｂとが別体で構成されている。このため、端子保持部３１の端子保持孔３１１の間にリブを立設し得ないほどまでオス側インナハウジング３０を小型することができる。特に、本実施形態では、オス端子２０において露出した後端部分の間を仕切るリブ４１に十分な厚みを持たせつつ、オス側インナハウジング３０内では端子保持孔３１１間の壁を薄くすることができる。
【００９５】
また、本実施形態では、仕切部材４０Ｂの第２の支持アーム４３の凹部４３１でボルト４７の頭部４７１を挟み込むと共に、オス側インナハウジング３０の切欠き３１５の突出部３１５ｃがボルト４７の頭部４７１と係合する。
【００９６】
このため、オス端子２０ＢのＵ状部２２Ｂのスリット２２２に挿入されたボルト４７のネジ部４７２にナットを螺合させると、仕切部材４０Ｂがオス側インナハウジング３０に固定される。
【００９７】
また、本実施形態では、仕切部材４０Ｂのリブ４１同士が第１及び第２の連結桟４４，４５によって連結されている。このため、仕切部材４０をオス側インナハウジング３０に挿入し易くなっていると共に、リブ４１の剛性の向上が図られている。
【００９８】
なお、上述した第１及び第２実施形態におけるオスコネクタ１０が本発明における端子台の一例に相当し、第１及び第２実施形態におけるオス端子２０，２０Ｂが本発明における端子の一例に相当し、第１及び第２実施形態におけるオス側インナハウジング３０が本発明におけるハウジングの一例に相当し、本実施形態における第２の支持アーム４３が本発明における保持部の一例に相当し、本実施形態における切欠き３１５が本発明における挿入部の一例に相当し、本実施形態における突出部３１５ｃが本発明における係合部の一例に相当し、本実施形態における嵌合方向又は解除方向が本発明における延在方向の一例に相当する。
【００９９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１００】
例えば、上述の実施形態では、オス端子２０を保持するオスコネクタ１０に本発明を適用した例について説明したが、本発明においては、端子を保持する端子台であれば特にこれに限定されない。
【符号の説明】
【０１０１】
１…コネクタ組立体
１０…オスコネクタ
２０，２０Ｂ…オス端子
２１…タブ
２２…環状部
２２１…内孔
２２Ｂ…Ｕ状部
２２２…スリット
３０…オス側インナハウジング
３１…端子保持部
３１１…端子保持孔
３１３…延在部
３１４…挿入溝
３１４ａ…第１のアーム挿入部
３１４ｂ…第１の突出部
３１５…切欠き
３１５ａ…第２のアーム挿入部
３１５ｂ…台座挿入部
３１５ｃ…突出部
３２…インナフランジ
３３…オス側インナ筒部
４０，４０Ｂ…仕切部材
４１…リブ
４２…第１の支持アーム
４２１…係合溝
４３…第２の支持アーム
４３１…凹部
４３１ａ…第１の面
４３１ｂ…第２の面
４４…第１の連結桟
４５…第２の連結桟
４６…ナット
４６１…本体部
４６２…台座部
４６３…ネジ孔
４７…ボルト
４７１…頭部
４７２…ネジ部
５０…オス側アウタハウジング
５３…オス側凸部
５３１…雌ネジ部
６０…メスコネクタ
７０…メス端子
８０…メス側ハウジング
８４…メス側凸部
８６…ボルト
９０…電力ケーブル
【図１】
2012105655.tif 000003
【図２】
2012105655.tif 000004
【図３】
2012105655.tif 000005
【図４】
2012105655.tif 000006
【図５】
2012105655.tif 000007
【図６】
2012105655.tif 000008
【図７】
2012105655.tif 000009
【図８】
2012105655.tif 000010
【図９】
2012105655.tif 000011
【図１０】
2012105655.tif 000012
【図１１】
2012105655.tif 000013
【図１２】
2012105655.tif 000014
【図１３】
2012105655.tif 000015
【国際調査報告】
2012105655.tif 000016
2012105655.tif 000017
2012105655.tif 000018